(57)【要約】      （修正有）【課題】引戸、開き戸にかかわらず適用することができるドアハンドル及びドアを提供する。【解決手段】ドアハンドル４０を、取付部（取付部材５０）と、返し部６２を有する先端部６０と、連結部７０と、を備える構成とする。取り付けられるドアが引き戸である場合に、ドア本体２０に取り付けられた状態において、取付部（取付部材５０）のドア本体２０が取り付けられる側の面と反対側の面を、ドア１０を開ける方向に移動可能とする第一の操作部５４とし、返し部６２のドア本体２０側の端部を、ドア１０を閉じる方向に移動可能とする第二の操作部６３とし、取り付けられるドア１０が開き戸である場合に、ドア本体２０に取り付けられた状態において、返し部６２の進入空間４１に臨む部分（内面部分６２ａ）及び進入空間に臨む部分とは反対側の部分（外面部分６２ｂ）を、ドア１０を開閉可能な第三の操作部６５とする。【選択図】図２
0003207094.tif 000002
【実用新案登録請求の範囲】
【請求項１】
出入り口に設置されるドアのドア本体に取り付けられるドアハンドルであって、
前記ドア本体に取り付けられた状態において、前記ドア本体の側端部に取り付けられる取付部と、前記ドア本体から離れる側に配置される先端部と、前記取付部と前記先端部とを連結する連結部と、を備え、前記先端部は、前記ドア本体側に延設される返し部を有し、前記取付部と前記先端部と前記連結部とで囲まれる領域が、前記ドアの出入り方向の少なくとも一方の側において開口して指を進入可能な進入空間とされ、
取り付けられる前記ドアが引き戸である場合に、前記ドア本体に取り付けられた状態において、
前記取付部の前記ドア本体が取り付けられる側の面と反対側の面が、前記ドアを開ける方向に移動可能とする第一の操作部とされ、
前記返し部の前記ドア本体側の端部が、前記ドアを閉じる方向に移動可能とする第二の操作部とされ、
取り付けられる前記ドアが開き戸である場合に、前記ドア本体に取り付けられた状態において、
少なくとも、前記返し部の前記進入空間に臨む部分及び前記進入空間に臨む部分とは反対側の部分が、前記ドアを開閉可能な第三の操作部とされていることを特徴とするドアハンドル。
【請求項２】
前記連結部の前記先端部側には、前記ドア本体に取り付けられた状態における上下方向からみた幅が、前記取付部側の幅より狭小に形成された逃がし部が形成されていることを特徴とする請求項１に記載のドアハンドル。
【請求項３】
前記第一の操作部は、前記ドア本体に取り付けられた状態において、前記ドア本体が取り付けられる側の面側に向かって凹状に形成されていることを特徴とする請求項１又は２に記載のドアハンドル。
【請求項４】
前記ドア本体に取り付けられた状態において、前記進入空間が、前記ドアの出入り方向の両方に形成されていることを特徴とする請求項１、２又は３に記載のドアハンドル。
【請求項５】
前記連結部には、前記ドアの出入り方向において、光を透過可能な明かり窓を有していることを特徴とする請求項１、２、３又は４に記載のドアハンドル。
【請求項６】
ドア本体と、請求項１〜５のいずれかに記載のドアハンドルと、を備えることを特徴とするドア。
【考案の詳細な説明】
【技術分野】
【０００１】
本考案は、ドアに取り付けられるドアハンドル及びそれを用いたドアに関するものである。
【背景技術】
【０００２】
従来の引戸用取手（ドアハンドル）として特許文献１に記載されるものがあり、これによれば、取手の側面に、側面方向から内方に向かって指を差入れるための指差入れ部を設け、その指差入れ部に指先を引掛けて引戸を引き出すための指掛部が形成され、引戸の側端部を内方に切り欠いて凹部を設け、その凹部に取手が嵌め込まれて構成されていた。
【先行技術文献】
【特許文献】
【０００３】
【特許文献１】特開２００６−２１９８６６号公報
【考案の概要】
【考案が解決しようとする課題】
【０００４】
しかし、上記の引戸用取手（ドアハンドル）では、引戸に適用することはできるが、回動して開閉する開き戸には、指が掛かる部分がなくそのままでは適用できないという問題があった。
【０００５】
本考案は、上記事情に鑑み、引戸、開き戸にかかわらず適用することができるドアハンドル及びドアを提供することを目的とする。
【課題を解決するための手段】
【０００６】
請求項１記載の考案では、出入り口に設置されるドアのドア本体に取り付けられるドアハンドルであって、
前記ドア本体に取り付けられた状態において、前記ドア本体の側端部に取り付けられる取付部と、前記ドア本体から離れる側に配置される先端部と、前記取付部と前記先端部とを連結する連結部と、を備え、前記先端部は、前記ドア本体側に延設される返し部を有し、前記取付部と前記先端部と前記連結部とで囲まれる領域が、前記ドアの出入り方向の少なくとも一方の側において開口して指を進入可能な進入空間とされ、
取り付けられる前記ドアが引き戸である場合に、前記ドア本体に取り付けられた状態において、
前記取付部の前記ドア本体が取り付けられる側の面と反対側の面が、前記ドアを開ける方向に移動可能とする第一の操作部とされ、
前記返し部の前記ドア本体側の端部が、前記ドアを閉じる方向に移動可能とする第二の操作部とされ、
取り付けられる前記ドアが開き戸である場合に、前記ドア本体に取り付けられた状態において、
少なくとも、前記返し部の前記進入空間に臨む部分及び前記進入空間に臨む部分とは反対側の部分が、前記ドアを開閉可能な第三の操作部とされていることを特徴とする。
【０００７】
これによれば、引き戸を開閉可能な第一の操作部及び第二の操作部に加えて、開き戸を開閉可能な第三の操作部を有することにより、引き戸、開き戸の両方に適用することができる。
【０００８】
請求項２記載の考案は、前記連結部の前記先端部側には、前記ドア本体に取り付けられた状態における上下方向からみた幅が、前記取付部側の幅より狭小に形成された逃がし部が形成されていることを特徴とする。
【０００９】
これによれば、指が進入空間に進入できなくなること、進入させた指が連結部に接触して指が痛くなること、を抑制することができる。
【００１０】
請求項３記載の考案のように、前記第一の操作部を、前記ドア本体に取り付けられた状態において、前記ドア本体が取り付けられる側の面側に向かって凹状に形成すれば、ドアを開けるときに指先の形状に対応しやすくなるとともに、指先の引っ掛かり良くなり操作性を向上させることに寄与する。
【００１１】
請求項４記載の考案のように、前記ドア本体に取り付けられた状態において、前記進入空間を、前記ドアの出入り方向の両方に形成すれば、出入り方向の両方でドアの開閉操作が必要な場合に好適なものとすることができる。
【００１２】
請求項５記載の考案のように、前記連結部に、前記ドアの出入り方向において、光を透過可能な明かり窓を有する構成とすれば、ドア本体に明かり窓を形成することなく、照明の光の有無によりドアの向こう側の状況を把握することを容易にすることができる。
【００１３】
請求項６記載の考案では、ドア本体と、請求項１〜５のいずれかに記載のドアハンドルと、を備えるドアとしている。
【図面の簡単な説明】
【００１４】
【図１】本考案の一実施形態のドアの正面図である。
【図２】同実施形態の部分平面図である。
【図３】同実施形態のドアハンドルの取付部の拡大平面図である。
【図４】同実施形態のドアハンドルの先端部の拡大平面図である。
【図５】同実施形態の明かり窓の拡大正面図である。
【図６】図５の（ａ）は、ＶＩａ−ＶＩａ線矢視断面図であり、（ｂ）はＶＩｂ−ＶＩｂ矢視断面図である。
【図７】同実施形態のドアハンドルの（ａ）はドアを閉じるときの動作説明図であり、（ｂ）は、ドアを開くときの動作説明図である。
【図８】本考案の他の実施形態のドアの正面図である。
【図９】同実施形態のドアハンドルの（ａ）はドアを開くときの動作説明図であり、（ｂ）は、ドアを閉じるときの動作説明図である。
【図１０】ドアハンドルの変形例の平面図である。
【考案を実施するための形態】
【００１５】
本考案のドアの一実施形態について図面に基づいて説明する。以下の説明において、各図面に記載される矢印の、Ｆを前、Ｂを後ろ、Ｒを右、Ｌを左、Ｕを上、Ｄを下、とする。なお、説明をしやすくするため、断面図のハッチングは、省略してある。
【００１６】
ドア１０は、図１に示すように、ドア本体２０と、ドアハンドル４０と、を有して、建築物の出入口等に設置されたドア枠１００に開閉可能に設置されている。
【００１７】
ドア本体２０は、図１、２に示すように、上壁面２１と、下壁面２２と、左壁面２３（戸先ともいう）と、右壁面２４（戸尻ともいう）と、前壁面２５と、後壁面２６と、を有して、矩形平板状に形成されている。
【００１８】
ドア枠１００は、図１に示すように、左右方向に沿って配設される上横枠体１０１及び下横枠体１０２と、上下方向に沿って配設される左縦枠体１０３及び右縦枠体１０４と、を有して矩形枠状に形成されている。
【００１９】
本実施形態では、ドア１０は、ドア枠１００内を左右方向にスライド移動する引き戸として構成されている。
【００２０】
ドアハンドル４０は、図１、２に示すように、金属製でドア本体２０の左側の端部に取り付けられている。
【００２１】
ドアハンドル４０は、取付部材５０と、ハンドル部材８０と、で構成されている。
【００２２】
取付部材５０（実用新案登録請求の範囲の取付部に相当する）は、図２、３に示すように、長尺平板状なベース板５１と、上下方向からみてベース板５１の短手方向の両方の端部から、左側にそれぞれ突設される板状のガイド片５２、５２と、を有して断面略コの字状に形成されている。なお、ベース板５１は、ドア本体２０の上下方向における長さと略同一の長さとされ、各ガイド片５２は、ベース板５１の長手方向（上下方向）の全域にわたって突設されている。
【００２３】
取付部材５０は、ベース板５１と、ガイド片５２、５２と、で囲まれる領域内に、ドア本体２０の左側の端部を嵌め込み可能とされている。本実施形態では、取付部材５０は、ドア本体２０の左壁面２３の全域、前壁面２５及び後壁面２６の左壁面２３側の一部の領域の外側に嵌め込み可能とされている。
【００２４】
ベース板５１のガイド片５２、５２が突設される側とは反対側（左側）の面には、ベース板５１の右側の面に向かって断面矩形状に凹むように形成され、後述する連結部７０を連結するときに位置決めをする凹溝５３が長手方向に沿って形成されている。なお、凹溝５３は、ベース板５１の長手方向（上下方向）の全域にわたって配設されている。
【００２５】
ベース板５１の左側の面、換言すれば、ドア本体２０が取り付けられる側と反対側の面には、上下方向からみて、凹溝５３をはさんで、ベース板５１の右側の面に向かって断面円弧状に凹むように形成される第一の操作部５４、５４を有している。
【００２６】
各第一の操作部５４は、指で右側に押すことで、ドア１０を開ける方向に移動可能とされる。
【００２７】
ハンドル部材８０は、先端部６０と、連結部７０と、を有している。
【００２８】
先端部６０は、図２、４に示すように、長尺平板状なベース板６１と、上下方向からみてベース板６１の短手方向の両方の端部から、左側（ドア本体２０側）にそれぞれ突設される板状の返し部６２、６２と、を有して断面略コの字状に形成されている。なお、ベース板６１は、ドア本体２０の上下方向における長さと略同一の長さとされ、各返し部６２は、ベース板６１の長手方向（上下方向）の全域にわたって突設されている。
【００２９】
返し部６２は、ベース板６１側から自由端側に向かうにしたがって、前後方向における幅が徐々に狭くなるように形成されている。本実施形態では、ベース板６１の左側の面と、返し部６２の外側の面（前面、後面）とは略直交し、返し部６２の内側の面がベース板６１に向かうにしたがって肉厚となるように形成されている。
【００３０】
返し部６２の右側の端部（ドア本体２０側の端部）は、ドア１０を閉じる方向に移動可能とする第二の操作部６３とされる。
【００３１】
各第二の操作部６３は、指で左側に押すことで、ドア１０を閉じる方向に移動可能とされる。
【００３２】
ベース板６１の返し部６２、６２が延設される側とは反対側（左側）の面には、ベース板６１の右側の面に向かって断面円弧状に凹むように形成される凹溝６４が長手方向に沿って形成されている。なお、凹溝６４は、ベース板６１の長手方向（上下方向）の全域にわたって配設されている。
【００３３】
凹溝６４には、ウレタン等で形成される緩衝材８１が取り付けられ、ドア１０を閉じたときに、左縦枠体１０３が、金属製の先端部６０との接触で疵（きず）がつくことを抑制する。
【００３４】
連結部７０は、図２、４に示すように、長尺な四角柱状に形成されている。連結部７０には、上下方向に沿って上面から下面に向かって断面矩形状に貫通する貫通孔７１が形成されている。
【００３５】
連結部７０は、ベース板６１と連設され連結部７０の左側（先端部６０側）には、上下方向からみた幅が、取付部材５０側の幅より狭小に形成された逃がし部７２が形成されている。
【００３６】
本実施形態では、左右方向における、連結部７０の外形形状が、貫通孔７１の左側の端部と略同一の位置から、左側に行くにしたがって狭小となり、ベース板６１近傍までいくと、少し広がる略台形状となるように形成されている。
【００３７】
連結部７０の上部には、連結部７０の前側及び後側の外周面から貫通孔７１まで貫通する窓孔７３、７３がそれぞれ形成されている。貫通孔７１の窓孔７３、７３に対応する位置には、図５に示すように、アクリル樹脂で構成され光を透過可能な光透過部材８２が配設されている。窓孔７３、７３と光透過部材８２で、いわゆる明かり窓として機能する。
【００３８】
ドアハンドル４０の、組み付け方法を説明する。取付部材５０の凹溝５３に、連結部７０の先端部６０と連設する側とは反対側の端部を進入させて位置決めする。ベース板５１のガイド片５２、５２が突設される側の面（右側の面）から、連結部７０の逃がし部７２近傍に至るまで、図示しないねじ孔を長手方向（上下方向）において複数箇所形成して、ねじ９０でそれぞれ固定することで、連結部７０及び先端部６０と取付部材５０とが一体化される。
【００３９】
ドアハンドル４０は、図２に示すように、組み付けられた状態において、取付部材５０と、ハンドル部材８０の先端部６０と、連結部７０と、で囲まれる領域が、ドア１０の出入り方向（前後方向）側が開口して指を進入可能な進入空間４１が形成されることになる。
【００４０】
返し部６２の内面部分６２ａ及び外面部分６２ｂが、ドア１０を開閉可能な第三の操作部６５とされる。換言すれば、返し部６２の進入空間４１に臨む部分及び進入空間４１に臨む部分とは反対側の部分が、指で操作可能な第三の操作部６５となる。
【００４１】
明かり窓の組付け状態を説明する。図５、６（ａ）、（ｂ）に示すように、ベース板５１のガイド片５２、５２が突設される側の面（右側の面）から、連結部７０の貫通孔７１の左側の壁に至るまで、図示しないねじ孔を形成して、ねじ９１で貫通孔７１を塞ぐように固定することで、光透過部材８２の下方向への移動を規制可能とする。そして、貫通孔７１の上側からを進入させる。ねじ９１により、光透過部材８２の貫通孔７１内での下側への移動が規制されて、上下方向の位置決めがなされる。
【００４２】
貫通孔７１内に光透過部材８２を進入させると、ねじ９１により下側に移動することが規制される。そして、ベース板５１のガイド片５２、５２が突設される側の面（右側の面）から、連結部７０の貫通孔７１に至るまで、図示しないねじ孔を形成して、ねじ９２により、貫通孔７１の左側の壁に押し付けるように固定することで、光透過部材８２は位置決め固定される。
【００４３】
組み付けられたドアハンドル４０の、ドア本体２０への取り付け方を説明する。まず、取付部材５０のベース板５１のガイド片５２、５２が突設される側の面を、左壁面２３の全域、前壁面２５及び後壁面２６の左壁面２３側の一部の領域の外側に嵌め込む。
【００４４】
取付部材５０のベース板５１の第一の操作部５４、５４、換言すれば、ドア本体２０が取り付けられる側と反対側の面から、ドア本体２０の左端部内に至るまで、図示しないねじ孔を上下方向において複数箇所形成して、ねじ９３でそれぞれ固定することで、ドアハンドル４０が、図２に示すように、ドア本体２０へ取り付けられる。
【００４５】
ドア１０の使用態様について説明する。図７（ａ）に示すように、ドア１０を矢印Ｘの方向に閉じるときには、第二の操作部６３を指で左側に押すことで、ドア１０を閉じる方向に移動させることができる。第二の操作部６３は、上下方向からみて略円弧状に形成され角部分を無くしているので、指で左側に押すときに指が痛くなることはない。
【００４６】
図７（ｂ）に示すように、ドア１０を矢印Ｙの方向に開けるときには、第一の操作部５４を指で右側に押すことで、ドア１０を開ける方向に移動させることができる。第一の操作部５４は、断面円弧状に凹んでいるので、ドア１０を開けるときに指先の形状に対応しやすくなるとともに、指先の引っ掛かり良くなり操作性を向上させることに寄与する。
【００４７】
上記構成のドアハンドル４０では、出入り口に設置されるドア１０のドア本体２０に取り付けられるドアハンドルであって、ドア本体２０に取り付けられた状態において、ドア本体２０の側端部（左壁面２３の全域、前壁面２５及び後壁面２６の一部）に取り付けられる取付部（取付部材５０）と、ドア本体２０から離れる側に配置される先端部６０と、取付部（取付部材５０）と先端部６０とを連結する連結部７０と、を備え、先端部６０は、ドア本体２０側に延設される返し部６２を有し、取付部（取付部材５０）と先端部６０と連結部７０とで囲まれる領域が、ドア１０の出入り方向の両方の側が開口して指を進入可能な進入空間４１とされ、ドア本体２０に取り付けられた状態において、取付部（取付部材５０）のドア本体２０が取り付けられる側の面と反対側の面が、ドア１０を開ける方向に移動可能とする第一の操作部５４とされ、返し部６２のドア本体２０側の端部が、ドア１０を閉じる方向に移動可能とする第二の操作部６３とされていることを特徴とする。
【００４８】
これによれば、引き戸を開閉可能な第一の操作部５４及び第二の操作部６３により、引き戸に適用することができる。また、ドア本体２０に取り付けられた状態において、少なくとも、返し部６２の進入空間４１に臨む部分（内面部分６２ａ）及び進入空間４１に臨む部分とは反対側の部分（外面部分６２ｂ）が、ドア１０を開閉可能な第三の操作部６５を有しているので、開き戸に換装して適用することができる。
【００４９】
また、連結部７０の先端部６０側には、ドア本体２０に取り付けられた状態における上下方向からみた幅が、取付部（取付部材５０）側の幅より狭小に形成された逃がし部７２が形成されていることを特徴とする。
【００５０】
これによれば、指が進入空間４１に進入できなくなること、進入させた指が連結部７０に接触して指が痛くなること、を抑制することができる。
【００５１】
また、第一の操作部５４を、ドア本体２０に取り付けられた状態において、ドア本体２０が取り付けられる側の面側に向かって凹状に形成しているので、ドア１０を開けるときに指先の形状に対応しやすくなるとともに、指先の引っ掛かり良くなり操作性を向上させることに寄与する。
【００５２】
また、ドア本体２０に取り付けられた状態において、進入空間４１を、ドア１０の出入り方向の両方に形成しているので、出入り方向の両方でドア１０の開閉操作が必要な本実施形態において好適なものとすることができる。
【００５３】
また、連結部７０に、ドア１０の出入り方向において、光を透過可能な明かり窓（窓孔７３、光透過部材８２）を有する構成としているので、ドア本体２０に明かり窓を形成することなく、照明の光の有無によりドア１０の向こう側の状況を把握することを容易にすることができる。
【００５４】
また、ドア本体２０と、ドアハンドル４０と、を備えるドア１０としている。
【００５５】
本考案の他の実施形態を図８、９に基づいて説明をする。ドア１０と共通する構成については、同一符号を付してそれらの説明の全部又は一部を省略する。
【００５６】
ドア枠１００Ａは、図８に示すように、左右方向に沿って配設される上横枠体１０１及び下横枠体１０２と、上下方向に沿って配設される左縦枠体１０３及び右縦枠体１０４と、を有して矩形枠状に形成されている。本実施形態では、ドア枠１００Ａは、ドア枠１００より左右方向の幅が狭く形成されている。
【００５７】
ドア１０Ａは、上下二つの蝶番１０５、１０５により、右縦枠体１０４に上下方向を軸として開閉可能に支持されて、ドア枠１００Ａ内に開閉可能に配設されている。本実施形態では、ドア１０Ａは、前側に開く開き戸として構成されている。
【００５８】
ドア１０Ａの使用態様について説明する。図９（ａ）に示すように、ドア１０Ａを矢印Ｍ１の方向に開けるときには、返し部６２の第三の操作部６５に指をつまむように掛けて前側に引き付けることで、ドア１０Ａを開ける方向に移動させることができる。
【００５９】
詳説すると、返し部６２の進入空間４１に臨む部分（内面部分６２ａ）及び進入空間４１に臨む部分とは反対側の部分（外面部分６２ｂ）とを、指でつまんで前側に引き寄せることで、ドア１０Ａを開くことができる。
【００６０】
図９（ｂ）に示すように、ドア１０Ａを矢印Ｍ２の方向に閉じるときには、返し部６２の第三の操作部６５を二本の指でつまんで後側に押すことで、ドア１０Ａを閉じる方向に移動させることができる。
【００６１】
詳説すると、返し部６２の進入空間４１に臨む部分（内面部分６２ａ）及び進入空間４１に臨む部分とは反対側の部分（外面部分６２ｂ）とを、指でつまんで後側に押し込むことで、ドア１０Ａを閉じることができる。
【００６２】
連結部７０の先端部側には、上下方向からみた幅が、取付部材５０側の幅より狭小に形成された逃がし部７２が形成されている。これにより、指が進入空間４１に進入できなくなること、進入させた指が連結部７０に接触して指が痛くなること、を抑制することができる。
【００６３】
上記構成のドア１０Ａでは、引き戸を開閉可能な第一の操作部５４及び第二の操作部６３に加えて、開き戸を開閉可能な第三の操作部６５を有することにより、開き戸に適用することができる。
【００６４】
以上のことより、ドアハンドル４０は、引き戸を開閉可能な第一の操作部５４及び第二の操作部６３に加えて、開き戸を開閉可能な第三の操作部６５を有するので、引き戸、開き戸の両方に適用することができる。
【００６５】
本考案のドアハンドル及びドアは上記構成に限定されるものではない。即ち、本考案の要旨を逸脱しない限り各種の設計変更等が可能である。以下に、変形した態様を例示する。
【００６６】
進入空間４１をドア１０の出入り方向の少なくとも一方の側にのみ形成することも可能である。この場合、図１０に示すように、ドアハンドル４０Ａは、進入空間４１を前側が開口する構成とし、連結部７０を進入空間４１の開口する側とは反対側の後側の端部に配置して、先端部６０を前後方向前側にのみ延設するようにすることができる。また、ハンドル部材８０と、取付部材５０とを別部材とせず一体構成している。
【符号の説明】
【００６７】
１０  ドア
１０Ａ  ドア
２０  ドア本体
４０  ドアハンドル
４０Ａ  ドアハンドル
４１  進入空間
５０  取付部材
５４  第一の操作部
６０  先端部
６２  返し部
６２ａ  内面部分
６２ｂ  外面部分
６３  第二の操作部
６５  第三の操作部
７０  連結部
７２  逃がし部
７３  窓孔
８２  光透過部材
【図１】
0003207094.tif 000003
【図２】
0003207094.tif 000004
【図３】
0003207094.tif 000005
【図４】
0003207094.tif 000006
【図５】
0003207094.tif 000007
【図６】
0003207094.tif 000008
【図７】
0003207094.tif 000009
【図８】
0003207094.tif 000010
【図９】
0003207094.tif 000011
【図１０】
0003207094.tif 000012